(57)【要約】      （修正有）【課題】椅子に着座した状態で容易に足脚の出し入れが可能であること、さらには土足状態での使用を可能とする足温器を提供する。【解決手段】下方に湯たんぽを格納するに足りる部屋空間、その上方に使用者がその足脚を挿入するに足りる部屋空間を有する箱体または球体の壁体で形成される容器である。湯たんぽ２から発生する暖気が容器から上方に流失するのを抑制するため、下部の熱源である湯たんぽと上部の足脚を挿入する面を除き、壁体１で閉じる。なお、両部屋空間を隔てる壁体は空気の交流が可能な余地を設け、使用者は、湯たんぽを下段部屋空間に挿入し、その上部の部屋空間に足脚を挿入して、足裏を床体に乗せて暖を取る。【選択図】図５
2019093091.tif 000002
【特許請求の範囲】
【請求項１】
その外周部を熱移動および熱伝導を減少させる材質を壁体として形成した箱型または半球体形状を有する容器であって、その内部に熱源となる熱温水を注入した湯たんぽまたは電力を熱源とするアンカ等の採暖器を収納する空間を有し、その上部に、当該熱源からの放熱により発生する暖気の上昇気流を利用して、使用者の足脚部を挿入して温めることを主な目的とした２段の空間を有し、専ら床面に置いて使用することを特徴とする熱源収納型足温器であって、熱源および使用者の足脚を装着または脱却するための開口部を設けるとともに、当該２段を分かつ境界壁体に外周部と同じ材質からなる棚状の間仕切りを有する容器。
【請求項２】
前項の上部と下部の間仕切りは、上部で挿入する使用者の足脚のつま先が高くなることおよび暖気が開口部より遠い位置から上がるように上り傾斜を設けるとともに、下段で発生する暖気が上段に抜ける通り空間を設けることを特徴とする請求項１記載の熱源収納型足温器。
【発明の詳細な説明】
【技術分野】
【０００１】  本発明は、人が一般家庭または事業所で主として椅子に着座して生活または静的な作業をする時における使用者が足脚部の暖を取ることを支援する足脚暖房器具に関する。
【背景技術】
【０００２】  主として個人で使用する足脚の暖を取る局所的な補助暖房器具には、熱水を注入する金属または樹脂を材料として形成された湯たんぽと称する球体面を有する容器があり、布等でくるみ、主として一般家庭内の生活で使用されている。また、素材を断熱効果の高い材質で形成した足脚を直接挿入できるブーツ靴形状のものもある。
一方、電力によるヒーター発熱を熱源として、足脚付近に置くまたは足脚を載せて利用するものには電気温風器、電気ヒーターパネル、ないし電気カーペットがある。
【先行技術文献】
【特許文献】
【０００３】
【特許文献１】特開２００７−２６０１４７
【非特許文献】
【０００４】
【非特許文献１】アイリスオーヤ  セラミックファンヒーター
【非特許文献２】パナソニック足温器
【発明の概要】
【発明が解決しようとする課題】
【０００５】    最も一般的な個人用採暖器具とされる湯たんぽは、熱伝導のよい金属または樹脂類の容器に熱水を入れて使用するが、熱水で容器が高熱を発することから、４０度以上で発症する皮膚接触による皮膚のやけどを防止するため、使用に際し布等一定の断熱効果のあるもので包むなどの手立てが必要であり、一般家庭室内の限られた空間での使用にとどまっている。近時開発された足脚を挿入して使用するものは、移動時には着脱が必要となる。【０００６】  電力を電源とするものは、熱水を扱う手間も必要とせず手軽で高出力な暖房器具であり、本発明が目的とする椅子に着座した状態での使用に適するが、電源コンセントの確保・接続が必要であり、即時に暖房効果を得ると同時に密閉環境でなく開放環境における使用に耐えるため、毎時数十ワット時から数百ワット時の電力を必要とし、長時間にわたり使用する場合、並びに複数人が使用する場合には、相応の電力の確保を必要とするものが多く、電力設備および運転経費面の検討が欠かせない。【０００７】  本発明は、下方に湯たんぽを格納する部屋空間、その上方に使用者がその足脚を挿入する部屋空間を有する箱体または球体の壁体で形成される容器を提供する。湯たんぽから発生する暖気が容器から上方の空中に流失するのを抑制するため、下部の熱源である湯たんぽと上部の足脚を挿入する面を除き、５面を壁体で閉じる。なお、両部屋空間を隔てる壁体は空気の交流が可能な余地を設ける。
本発明は、湯たんぽを一般家庭での寝具に挿入して使用される場面だけでなく、学習や作業等机に向かって椅子に着座した状態での使用を目的に置いている。熱水が容易に準備できれば使用者の姿勢や動線にマイナスにならないような運転環境にて、省エネルギー対策が求められる事業所でも複数人が同時に使用できるようしたい。
事業所内は、間仕切りや備品等によって、場所による気温差が大きく、また人により寒暖に対する感覚も大きく違い、省エネルギーかつ簡便な採暖手段は有用である。【０００８】  本発明は、従来の足温器が有していた、湯たんぽの使用場面の拡大を図ろうとする課題を解決することを目的としているが、椅子に着座した状態で容易に足脚の出し入れが可能であること、さらには土足状態での使用を可能とすることを目的としている。
【課題を解決するための手段】
【０００９】  本発明は、下方に湯たんぽを格納する部屋空間、その上方に使用者がその足脚を挿入する部屋空間を有する箱体または球体の壁体で形成される容器を提供する。湯たんぽから発生する暖気が容器から上方に流失するのを抑制するため、下部の熱源である湯たんぽと上部の足脚を挿入する面を除き、壁体で閉じる。なお、両部屋空間を隔てる壁体は空気の交流が可能な余地を設ける。【００１０】  本発明は、熱源からの暖気を容器外に流失するのを抑制するため、外周ならびに部屋空間の間仕切りに使用する壁体は、木材または樹脂等の熱移動および熱伝導を減少させる効果を有する、熱断熱性が高くかつ蓄熱性がある材質にて形成する。【００１１】  本発明は、温水を熱源とするが、一定の暖房効果を確保したうえで、運転中の低温やけどの防止のため、熱源と人体との非接触状況を実現する。【００１２】  また外周部の壁体には、熱源である湯たんぽおよび足脚の出し入れを容易に行うため、使用者が対面する１面に所要に開口部を設ける。
【発明の効果】
【００１３】  熱源から放出される暖気は足脚を挿入する部屋空間において直接足脚を温めるとともに、壁体にも蓄熱され、穏やかな暖を取ることができる。暖気は室温が摂氏１８度において、摂氏３０度台後半から２０度台後半である。【００１４】  本発明は使用者に足脚の出し入れが容易であり、使用時の離席による中断が可能であると同時に、熱水を確保できる給湯設備があれば電力を使用しないので複数台を同時使用する環境でも使用が可能である。【００１５】  椅子に着座して机に向かい、事務やパソコンを操作する場合は上半身に体側と肘から手の角度は９０度以上必要とされ、ケースによっては、足置台を置くことがパソコンメーカーから提唱されているが、本発明は足置き代として利用され、姿勢保持には好影響である。
【図面の簡単な説明】
【００１６】
【図１】一例を示すもので、正面および背面から見た斜視図である。
【図２】図１の正面図である。
【図３】図１の上面図である。
【図４】図１の側面から見た中央部の縦断面図である。
【図５】本発明の使用方法を示すもので、湯たんぽを装着して椅子に着座したときの側面からみた断面図である。
【発明を実施するための形態】
【００１７】以下、本発明の実施の形態を図５に基づいて説明する。
【００１８】  本発明を箱体で実施する場合について説明する。図において、外周部に箱体を形成する壁体１を設ける。壁体は床面、左右側面、奥面、天面の５面を有する。使用者に対峙する残る１面は、湯たんぽ２および使用者の足脚を挿入するために開口部３を設ける。湯たんぽを装着する分は挿入後、閉じる扉４を設ける。
【００１９】  箱体の内部は、下方に湯たんぽを格納する部屋空間、上方に使用者の足脚を挿入して採暖する部屋空間を有し、その境界は壁体と同じ材質の床体５を設ける。床体５には、箱体内部における空気の対流を妨げないように、隙間空間６を設ける、
【００２０】  床体５は、足脚を挿入する開口面が低く奥面が高い、つま先上がり傾斜を設ける。暖気を主として奥面や側面の隙間空間を経由して採暖空間に誘導するためである。
【００２１】  天面の開口面から近いほうは、足脚の挿入時の利便のため、一部分開放する。
【００２２】  本発明の運転方法について説明する。
熱水を注入した湯たんぽ２を開口部３から挿入し、扉を閉める。
使用者はその足脚を開口部３から挿入し、足裏を床体５に乗せる。
【符号の説明】
【００２３】１  外周部を形成する壁体
２  熱源とする湯たんぽ
３  湯たんぽおよび足脚を挿入する開口部
４  湯たんぽを挿入する空間に設ける扉
５  足脚を挿入する空間の床体
６  床体の空気の通り口
【図１】
2019093091.tif 000003
【図２】
2019093091.tif 000004
【図３】
2019093091.tif 000005
【図４】
2019093091.tif 000006
【図５】
2019093091.tif 000007